(57)【特許請求の範囲】
【請求項１】
正極および負極をそれぞれ有する電池が開口部を通じて収容される収容部と、
前記収容部の底部に設けられ前記電池の正極または負極を電気的に電気回路に接続する接点部を有する第１の端子部と、
前記収容部の壁部に設けられ前記電池の正極または負極を電気的に電気回路に接続する接点部を有する第２の端子部と、
前記収容部の開口部の周縁に形成され収容された前記電池を保持する保持部材と、を備え、
前記電池の一部が前記収容部内に挿入され前記第１の端子部の接点部が該電池の外周面に接触するまでの期間において、前記第２の端子部は、該電池の外周面と該第２の端子部の接点部との間に所定の隙間を形成する隙間形成端部を先端部における接点部よりも最先端側に有することを特徴とする電池ホルダ。
【請求項２】
前記隙間形成端部は、前記接点部から分岐して延在していることを特徴とする請求項１記載の電池ホルダ。
【発明の詳細な説明】
【０００１】
【発明の属する技術分野】
本発明は、コイン型の電池を保持することができる電池ホルダに関する。
【０００２】
【従来の技術】
電子機器においては、一般に、例えば、配線基板上に設けられるメモリ等のバックアップ用にコイン型またはボタン型の電池が配されている。このような電池は、例えば、特許文献１または図１８、図１９および図２０に示されるような電池ホルダに保持されている。
【０００３】
配線基板２上に配される電池ホルダは、例えば、コイン型の電池Ｂａを収容する電池収容部１０を内側に有する本体部４と、本体部４の外郭部に設けられ電池Ｂａの正極に電気的に接続される正極用端子８と、本体部４における正極用端子８に対向して配され電池Ｂａの負極に電気的に接続される負極用端子６とを主な要素として含んで構成されている。
【０００４】
本体部４の電池収容部１０は、底面を形成する底部４ｂと、底部４ｂに対し垂直に略円筒状に形成される本体部４の外郭部と、により包囲されて形成されている。
【０００５】
配線基板２に載置される底部４ｂには、後述する負極用端子６の一部が選択的に侵入する孔４ｈが形成されている。また、底部４ｂにおける配線基板２に接触する面には、位置決めピンが２箇所に設けられている。
【０００６】
本体部４の外郭部は、例えば、弾性変形可能な樹脂で作られ、上方に向けて開口しており、正極用端子８および負極用端子６がそれぞれ支持される一対の壁部４ｗｂおよび４ｗａを備えている。壁部４ｗｂには、正極用端子８の固定部８ｆが圧入されるスリット４ｇｂが底部４ｂに対し略垂直に内部に形成されている。壁部４ｗｂに対向して形成される壁部４ｗａには、負極用端子６の固定部６ｆが圧入されるスリット４ｇａが底部４ｂに対し略垂直に内部に形成されている。また、スリット４ｇｂおよび４ｇａは、互いに略平行に形成されている。
【０００７】
本体部４の外郭部における一対の壁部４ｗｂおよび４ｗａを除く部分には、壁部４ｗｂおよび４ｗａの高さより高い高さを有する壁部が相対向して形成されている。その各壁部の上端部には、それぞれ、収容された電池Baを負極用端子６相互間において保持する保持部材としての保持部４ｐが一体に形成されている。
【０００８】
正極用端子８は、図２１にも示されるように、先端に接点部８ｃを有し弾性変位可能な可動部８ｔと、本体部４のスリット４ｇｂに圧入保持される固定部８ｆと、配線基板２の導電部に半田付固定される半田付固定部８ｓとから構成されている。
【０００９】
正極用端子８の可動部８ｔは、電池収容部１０内に配され、また、正極用端子８の半田付固定部８ｓは、壁部４ｗｂの外周面に配されている。
【００１０】
負極用端子６は、先端近傍に接点部６ｃを有し弾性変位可能な可動部６ｔと、本体部４のスリット４ｇａに圧入保持される固定部６ｆと、配線基板２の導電部に半田付固定される半田付固定部６ｓとから構成されている。
【００１１】
負極用端子６の可動部６ｔは、電池収容部１０内に配され、また、負極用端子６の半田付固定部６ｓは、壁部４ｗａの外周面に配されている。さらに、正極用端子８の可動部８ｔは、負極用端子６の可動部６ｔの接点部６ｃを臨むように配されている。
【００１２】
収容される電池Ｂａは、負極をキャップ端子部（封口板）に有するとともに、キャップ端子部を樹脂で作られるガスケットＧａを介して取り囲むケースに正極を有するものとされる。また、そのガスケットＧａの一部は、キャップ端子とケースとの間の境界部分における全円周上に露出している。
【００１３】
斯かる構成において、電池Bａが電池ホルダに装着される場合、図１８に二点鎖線で示されるように、先ず、電池Bａの一部が、負極のキャップ端子部を負極用端子６に向けて斜めの姿勢で開口部を通じて電池収容部１０内に挿入される。
【００１４】
次に、電池BａのケースおよびガスケットＧａが正極用端子８の可動部８ｔの接点部８ｃに接触した後、さらに保持部４ｐの端で位置規制される電池Bａが負極用端子６の可動部６ｔの弾性力に抗してさらに押し下げられる。その際、一部の保持部４ｐは、外方に押し広げられる。
【００１５】
そして、電池Bａが、そのキャップ端子が底部４ｂに対し平行となるまで押し下げられることにより、電池Bａは、保持部４ｐと負極用端子６との間に保持されるとともに、正極用端子８の可動部８ｔの弾性力により壁部の内面に向けて押し付けられることとなる。これにより、電池Bａの電池収容部１０に対する装着が完了することとなる。
【００１６】
【特許文献１】
実開平５−５０６６６
【００１７】
【発明が解決しようとする課題】
上述したように、電池Ｂａが電池収容部１０に装着される場合、ガスケットGaが正極用端子８の可動部８ｔの接点部８ｃに接触したとき、削りとられたガスケットGaの一部が接点部８ｃに付着する場合がある。このように削りとられたガスケットGaの一部が接点部８ｃに付着した状態で電気的に接続される場合、電気的接続が不完全となる虞がある。また、このような場合、電気的接続を正常な状態に回復させるために電池Ｂａが一旦、電池収容部１０から取り外され、接点部８ｃが清浄化された後、再度、電池Bａを装着する手間が生じることとなる。
【００１８】
以上の問題点を考慮し、本発明は、コイン型の電池を保持することができる電池ホルダであって、電池が容易に装着されるとともに、電池と端子との電気的接続を確実に行うことができる電池ホルダを提供することを目的とする。
【００１９】
【課題を解決するための手段】
上述の目的を達成するために、本発明に係る電池ホルダは、正極および負極をそれぞれ有する電池が開口部を通じて収容される収容部と、収容部の底部に設けられ電池の正極または負極を電気的に電気回路に接続する接点部を有する第１の端子部と、収容部の壁部に設けられ電池の正極または負極を電気的に電気回路に接続する接点部を有する第２の端子部と、収容部の開口部の周縁に形成され収容された電池を保持する保持部材と、を備え、電池の一部が収容部内に挿入され第１の端子部の接点部が該電池の外周面に接触するまでの期間において、第２の端子部は、電池の外周面と第２の端子部の接点部との間に所定の隙間を形成する隙間形成端部を先端部における接点部よりも最先端側に有することを特徴とする。
【００２０】
また、隙間形成端部は、接点部から分岐して延在しているものであってもよい。
【００２４】
【発明の実施の形態】
図２は、本発明に係る電池ホルダの第１実施例の外観を示す。
図２において、電池ホルダは、電気回路を構成する配線基板３０上に配され例えば、コイン型のリチウム電池２０（図４参照）を収容する電池収容部２２を内側に有する本体部２４と、本体部２４の外郭部に設けられリチウム電池２０の正極に電気的に接続される正極用端子２８と、本体部２４における正極用端子２８に対向して配されリチウム電池２０の負極に電気的に接続される負極用端子２６とを主な要素として含んで構成されている。
【００２５】
直径約５ｍｍ程度のリチウム電池２０は、例えば、配線基板３０上に配される記憶素子のバックアップ用電源として配される。リチウム電池２０は、図４に示されるように、負極とされるキャップ端子（封口板）２０ｍと、正極とされるケース２０ｐと、キャップ端子２０ｍとケース２０ｐとの間に介在されるガスケット２０Gとを含んで構成されている。キャップ端子２０ｍおよびケース２０ｐは、それぞれ、金属製とされ、ガスケット２０Gは、電気的絶縁材としての樹脂、例えば、ポリスチレンで作られている。ガスケット２０Gの一部は、キャップ端子２０ｍとケース２０ｐとの間の境界部分となる全円周上で外部に露出している。
【００２６】
本体部２４の外郭は、例えば、弾性を有する樹脂で略円筒状に作られている。本体部２４の電池収容部２２は、図１および図２に示されるように、上方に向けて開口しており、底面を形成する底部２４ｂと、底部２４ｂに対し垂直に形成される一対の端子固定用壁部２４WAおよび２４WBと、端子固定用壁部２４WAおよび２４WBにおける円周方向の両端部をそれぞれ連結する連結壁２４CAおよび２４CBとにより包囲されて形成されている。
【００２７】
底部２４ｂには、後述する負極用端子２６の一部が選択的に侵入する孔２４ｈが形成されている。また、底部２４ｂにおける配線基板３０に接触する面には、図示が省略されるが、本体部２４を配線基板３０における所定の位置に位置決めする位置決めピンが２箇所に設けられている。
【００２８】
端子固定用壁部２４WBには、正極用端子２８の固定部２８ｆが圧入されるスリット２４ｇｂが底部２４ｂに対し略垂直に内部に形成されている。一方、端子固定用壁部２４WBに対向して形成される端子固定用壁部２４WAには、負極用端子２６の固定部２６ｆが圧入されるスリット２４ｇａが底部２４ｂに対し略垂直に内部に形成されている。また、スリット２４ｇｂおよび２４ｇａは、互いに略平行に形成されている。
【００２９】
連結壁２４CAおよび２４CBは、それぞれ端子固定用壁部２４WAおよび２４WBの基板３０からの高さよりも高いその高さを有し、互いに相対向して形成されている。その各連結壁２４CAおよび２４CBの上端部には、それぞれ、収容された電池２０を負極用端子２６相互間において保持する保持部材としての保持部２４ｐが一体に形成されている。また、連結壁２４CAおよび２４CBには、それぞれ、装着された電池２０を取り外すために利用される切欠部２４Kが形成されている。
【００３０】
負極用端子２６は、図１および図２に示されるように、先端近傍に接点部２６ｃを有し弾性変位可能な可動部２６ｔと、可動部２６ｔに連なり本体部２４のスリット２４ｇａに圧入保持される固定部２６ｆと、固定部２６ｆの一端から折り曲げられて形成され配線基板３０の導電部に半田付固定される半田付固定部２６ｓとから構成されている。
【００３１】
負極用端子２６の可動部２６ｔは、電池収容部２２内に配され、また、負極用端子２６の半田付固定部２６ｓは、壁部２４WAの外周面に配されている。
可動部２６ｔにおける湾曲した先端部は、孔２４ｈにおける正極用端子２８側の縁部近傍まで延在している。
【００３２】
正極用端子２８は、図３に示されるように、先端に分岐した二つの分岐部２８ｃを有し弾性変位可能な可動部２８ｔと、可動部２８ｔに連なり本体部２４のスリット２４ｇｂに圧入保持される固定部２８ｆと、固定部２８ｆの一端から折り曲げられて形成され配線基板３０の導電部に半田付固定される半田付固定部２８ｓとから構成されている。
【００３３】
正極用端子２８の可動部２８ｔは、図１に示されるように、電池収容部２２内に配され、また、正極用端子２８の半田付固定部２８ｓは、壁部２４ｗｂの外周面に配されている。
【００３４】
可動部２８ｔは、二つの分岐部２８ｃを先端部に有している。隙間形成端部としての分岐部２８ｃは、一端が固定部２８ｆ側に折り曲げられた湾曲状に形成されている。可動部２８ｔの基端部と分岐部２８ｃとの間には、リチウム電池２０の正極に電気的に接続される接点部２８ｄが湾曲状に形成されている。接点部２８ｄの幅方向の位置は、分岐部２８ｃ相互間の切欠きに対応する位置に設定されている。
【００３５】
分岐部２８ｃが所定の間隔で離隔して形成されるのは、後述されるように、ガスケット２０Gの一部が分岐部２８ｃに付着した場合であっても、そのガスケット２０Gの一部が直接的に接点部２８ｄに対して落下することを回避するためである。
【００３６】
なお、分岐部２８ｃは、湾曲状、即ち、凸状に形成されているが、斯かる例に限られることなく、接点部２８ｄの一端側が分岐されて電池収容部２２内に向けて直線的に所定長さだけ延在するだけのものであってもよい。または、分岐部２８ｃが複数の湾曲部を有するものであっても良い。
【００３７】
斯かる構成において、リチウム電池２０が電池ホルダに装着される場合、図５（A)および図６（A)に示されるように、先ず、キャップ端子部２０ｍが負極用端子２６の接点部２６ｃ側に向けられ、かつ、ケース２０ｐの側面が負極用端子２６の可動部２６ｔに接触した状態で斜めの姿勢となるように、リチウム電池２０の一部が、開口部を通じて電池収容部２２内に挿入される。
【００３８】
次に、図５（B)および図６（B)に示されるように、リチウム電池２０のケース２０ｐが負極用端子２６の可動部２６ｔ上を滑るようにさらにリチウム電池２０が挿入される。その際、リチウム電池２０のケース２０ｐおよびガスケット２０Ｇの一部が正極用端子２８の可動部２８ｔの分岐部２８ｃに接触せしめられるとともに保持部２４ｐの端により位置規制される。
【００３９】
続いて、図５（C)および図６（C)に示されるように、さらに、リチウム電池２０が負極用端子２６の可動部２６ｔの弾性力に抗して矢印の示す方向に押圧されるとき、リチウム電池２０のキャップ端子部２０ｍが負極用端子２６の可動部２６ｔ上を滑り、また、ガスケット２０Gが可動部２８ｔの分岐部２８ｃから離隔される。その際、一部の保持部２４ｐは、外方に押し広げられ、また、接点部２８ｄとガスケット２０Gとの間に所定の隙間が形成されることとなる。
【００４０】
そして、図５（D)および図６（D)に示されるように、リチウム電池２０が、そのキャップ端子２０ｍが底部２４ｂに対し平行となるまでさらに押し下げられることにより、リチウム電池２０は、保持部２４ｐと負極用端子２６の可動部２６ｔとの間に保持されるとともに、正極用端子２８の可動部２８ｔの弾性力により壁部の内面に向けて押し付けられることとなる。その際、接点部２８ｄがリチウム電池２０のケース２０ｐに接触することとなる。これにより、リチウム電池２０の電池収容部２２に対する装着が完了することとなる。
【００４１】
なお、リチウム電池２０を取り外すにあたっては、例えば、マイナス（−）形ドライバ等の先端が切欠部２４Ｋを通じて電池収容部２２内に挿入され、保持部２４ｐを互いに離隔する方向に押し広げるようにリチウム電池２０のケース２０ｐをこじることにより、リチウム電池２０が開口部を通じて電池収容部２２から取り外される。
【００４２】
従って、リチウム電池２０のガスケット２０Gが接点部２８ｄに接触することなく、リチウム電池２０の装着が完了し、しかも、ガスケット２０Ｇが正極用端子２８の可動部２８ｔの分岐部２８ｃに接触せしめられる場合であっても、ガスケット２０Ｇの破片が直接的に接点部２８ｄに落下する虞がない。
【００４３】
図７および図８は、本発明に係る電池ホルダの第２実施例を示す。
なお、図８に示される例および後述する例においては、図１において示される例において同一とされる構成要素について同一の符号を付して示し、その重複説明を省略する。
【００４４】
図７において、電池ホルダは、配線基板３０上に配され例えば、コイン型のリチウム電池２０を収容する電池収容部４２を内側に有する本体部４４と、本体部４４の外郭部に設けられリチウム電池２０の正極に電気的に接続される正極用端子４８と、本体部４４における正極用端子４８に対向して配されリチウム電池２０の負極に電気的に接続される負極用端子４６とを主な要素として含んで構成されている。
【００４５】
本体部４４の外郭は、例えば、弾性を有する樹脂で略円筒状に作られている。本体部４４の電池収容部４２は、図７および図８に示されるように、上方に向けて開口しており、底面を形成する底部４４ｂと、底部４４ｂに対し垂直に形成される一対の端子固定用壁部４４WAおよび４４WBと、端子固定用壁部４４WAおよび４４WBにおける円周方向の両端部をそれぞれ連結する連結壁４４CAおよび４４CBとにより包囲されて形成されている。
【００４６】
底部４４ｂには、図１１に示されるように、後述する負極用端子４６の一部が選択的に侵入する孔４４ｈが形成されている。また、底部４４ｂにおける配線基板３０に接触する面には、図示が省略されるが、本体部４４を配線基板３０における所定の位置に位置決めする位置決めピンが２箇所に設けられている。
【００４７】
端子固定用壁部４４WBには、図１１および図１３に示されるように、正極用端子４８の固定部４８ｆが圧入されるスリット４４ｇｂが底部４４ｂに対し略垂直に内部に形成されている。スリット４４ｇｂの周縁には、正極用端子４８の半田付固定部が挿入される切欠部４４ｋｂが形成されている。
【００４８】
一方、端子固定用壁部４４WBに対向して形成される端子固定用壁部４４WAには、負極用端子４６の固定部４６ｆが圧入されるスリット４４ｇａが底部４４ｂに対し略垂直に内部に形成されている。端子固定用壁部４４WAにおけるスリット４４ｇａは、切欠部４４ｋａを通じて電池収容部４２に連通している。また、端子固定用壁部４４WAにおけるスリット４４ｇａの周縁には、負極用端子４６の半田付固定部４６ｓが係合される凹部４４ｒａが形成されている。
また、スリット４４ｇｂおよび４４ｇａは、互いに略平行に形成されている。
【００４９】
連結壁４４CAおよび４４CBは、図７および図１１に示されるように、それぞれ端子固定用壁部４４WAおよび４４WBの基板３０表面からの高さよりも高いその高さを有し、互いに相対向して形成されている。その各連結壁４４CAおよび４４CBの上端部には、それぞれ、収容された電池２０を負極用端子４６相互間において保持する保持部材としての保持部４４ｐが一体に形成されている。また、連結壁４４CAおよび４４CBには、それぞれ、装着された電池２０を取り外すために利用される切欠部４４Kが形成されている。また、連結壁４４CAおよび４４CBの内周部における端子固定用壁部４４ＷＢ側には、それぞれ、後述する正極用端子４８の可動部が挿入される凹部４４Ｎが２箇所に形成されている。
【００５０】
負極用端子４６は、図１３に示されるように、先端近傍に接点部４６ｃを有し弾性変位可能な可動部４６ｔと、可動部４６ｔに連なり本体部４４のスリット４４ｇａに圧入保持される固定部４６ｆと、固定部４６ｆの一端から折り曲げられて形成され配線基板３０の導電部に半田付固定される半田付固定部４６ｓとから構成されている。
【００５１】
負極用端子４６の可動部４６ｔは、電池収容部４２内に配され、また、負極用端子４６の半田付固定部４６ｓは、図９に示されるように、壁部４４WAの外周面に配されている。
【００５２】
可動部４６ｔにおける先細状の先端部は、孔４４ｈにおける正極用端子４８側の縁部に対し所定の隙間をもって延在している。即ち、可動部４６ｔにおける端子固定用壁部４４WAの内面から先端までの長さは、底部４４ｂの半径よりも小に設定されている。
【００５３】
先端部に設けられる接点部４６ｃの先端からの距離Ｌは、図１２に拡大されて示されるように、例えば、０．２ｍｍより大に設定されている。これにより、リチウム電池２０のケース２０ｐおよびガスケット２０Ｇが可動部４６ｔにおける先端に接触した場合であってもガスケット２０Ｇが接点部４６ｃに接触する虞がない。
【００５４】
正極用端子４８は、図１４に拡大されて示されるように、先端から分岐した二つの分岐接点部４８ｃを有し弾性変位可能な可動部４８ｔと、可動部４８ｔに連なり本体部４４のスリット４４ｇｂに圧入保持される固定部４８ｆと、固定部４８ｆの一端から折り曲げられて形成され配線基板３０の導電部に半田付固定される半田付固定部４８ｓとから構成されている。
【００５５】
正極用端子４８の可動部４８ｔは、図７および図８に示されるように、電池収容部４２内に配され、また、正極用端子４８の半田付固定部４８ｓは、壁部４４ＷＢの外周面に配されている。
【００５６】
可動部２８ｔは、固定部４８ｆの一端から屈曲されて形成されており、二つの分岐接点部４８ｃを両端部にそれぞれ有している。各分岐接点部４８ｃは、本体部４４の凹部４４Ｎに挿入されるように同一円周上に形成されている。即ち、各分岐接点部４８ｃは、収容されたリチウム電池２０を包囲し、かつ、協働して壁部の内面に向けてリチウム電池２０を付勢することとなる。
【００５７】
可動部４８ｔにおける分岐接点部４８ｃ相互間には、リチウム電池２０を負極用端子４６との間で保持する保持部４８ｐが形成されている。保持部４８ｐにおける端部の一部４８Ｅは、上方に向けて所定の角度だけ折り曲げられている。
【００５８】
斯かる構成において、リチウム電池２０が電池ホルダに装着される場合、図１５（A)および図１６（A)に示されるように、先ず、キャップ端子部２０ｍが負極用端子４６の接点部４６ｃ側に向けられ、かつ、ケース２０ｐおよびガスケット２０Ｇの側面が負極用端子４６の可動部４６ｔの先端に接触した状態で斜めの姿勢となるように、リチウム電池２０の一部が、開口部を通じて電池収容部４２内に挿入される。その際、可動部４８ｔの一部４８Ｅがそれぞれケース２０ｐの表面に当接している。また、接点部４６ｃとガスケット２０Ｇおよびキャップ端子部２０ｍとの間に隙間が形成されている。
【００５９】
次に、図１５（B)および図１６（B)に示されるように、リチウム電池２０が矢印の示す方向に倒されることにより、リチウム電池２０のケース２０ｐおよびガスケット２０Ｇが負極用端子４６の可動部４６ｔの端部から離隔され、リチウム電池２０がさらに挿入される。その際、リチウム電池２０のケース２０ｐの表面が底部４４ｂに接触することとなる。
【００６０】
続いて、図１５（C)および図１６（C)に示されるように、さらに、リチウム電池２０が負極用端子４６の可動部４６ｔの弾性力に抗して矢印の示す方向に押圧されるとき、リチウム電池２０のキャップ端子部２０ｍが負極用端子２６の可動部２６ｔの端部に接触される。その際、正極用端子４８の保持部４８ｐが、リチウム電池２０のケース２０ｐに係合され、かつ、本体部４４の保持部４４ｐは、外方に押し広げられることとなる。
【００６１】
そして、図１５（D)および図１６（D)に示されるように、リチウム電池２０が、そのキャップ端子２０ｍが底部４４ｂに対し平行となるまでさらに押し下げられることにより、リチウム電池２０は、保持部４４ｐおよび４８ｐと負極用端子４６の可動部４６ｔとの間に保持されるとともに、正極用端子４８の可動部４８ｔの分岐接点部４８ｃの弾性力により壁部の内面に向けて押し付けられることとなる。その際、接点部４６ｃがリチウム電池２０のキャップ端子２０ｍに接触することとなる。これにより、リチウム電池２０の電池収容部４２に対する装着が完了することとなる。
【００６２】
図１７は、本発明に係る電池ホルダの第３実施例の要部を示す。
なお、図１７に示される例においては、図示がされていないが、図７に示される例と同様な正極用端子４８を備えるものとされる。
【００６３】
図１７に示される例における負極用端子５０の可動部５０ｔは、図７に示される例における負極用端子４６の可動部４６ｔの先細形状とは異なり、二股状の先端部を有している。
【００６４】
負極用端子５０は、先端近傍に接点部５０ｃを有し弾性変位可能な可動部５０ｔと、可動部５０ｔに連なって形成され本体部４４のスリット４４ｇａに圧入保持される固定部５０ｆと、固定部５０ｆの一端から折り曲げられて形成され配線基板３０の導電部に半田付固定される半田付固定部５０ｓとから構成されている。
【００６５】
負極用端子５０の可動部５０ｔは、電池収容部４２内に配され、また、負極用端子５０の半田付固定部５０ｓは、壁部４４WAの外周面に配されている。
【００６６】
可動部５０ｔにおける先端部は、孔４４ｈにおける正極用端子４８側の縁部に対し所定の隙間をもって延在している。即ち、可動部５０ｔにおける端子固定用壁部４４WAの内面から先端までの長さは、底部４４ｂの半径よりも小に設定されている。その先端部は、二股部を形成する分岐部５０ｅを有している。
【００６７】
接点部５０ｃの中心から分岐部５０ｅの先端までの距離は、例えば、０．２ｍｍより大に設定されている。これにより、リチウム電池２０のケース２０ｐおよびガスケット２０Ｇが可動部５０ｔにおける先端に接触した場合であってもガスケット２０Ｇが接点部４６ｃに接触する虞がない。さらに、接点部５０ｃに対向する分岐部５０ｅ相互間が切り欠かれているので可動部５０ｔにおける先端により削りとられたガスケット２０Ｇの一部が接点部４６ｃ近傍に残存することも回避されることとなる。
【００６８】
斯かる構成においても、上述の例と同様な作用効果が得られることとなる。
【００６９】
なお、本発明に係る電池ホルダの一例においては、上述の第１実施例における正極用端子２８と第２実施例または第３実施例における負極用端子４６または５０とが組み合わされる構成でもよいことは勿論である。
【００７０】
また、上述の例においては、電池ホルダの一例がリチウム電池について適用されているが、斯かる例に限られることなく、ボタン形の水銀電池、空気電池についても適用されてもよい。
【００７１】
【発明の効果】
以上の説明から明らかなように、本発明に係る電池用ホルダによれば、電池の一部が収容部内に挿入され第１の端子部の接点部が電池の外周面に接触するまでの期間において、第２の端子部は、電池の外周面と第２の端子部の接点部との間に所定の隙間を形成する隙間形成端部を先端部における接点部よりも最先端側に有することにより接点部が電池の表面に干渉することなく電池が容易に装着されるとともに、電池と端子との電気的接続を確実に行うことができる。
【図面の簡単な説明】
【図１】本発明に係る電池ホルダの第１実施例の要部を、収容される電池とともに示す断面図である。
【図２】図１に示される例における平面図である。
【図３】図１に示される例において用いられる正極用端子を示す斜視図である。
【図４】図１に示される例において収容される電池の外観を示す正面図である。
【図５】（Ａ），（Ｂ）、（Ｃ）、（Ｄ）は、それぞれ、図１に示される例における電池の装着動作の説明に供される平面図である。
【図６】（Ａ），（Ｂ）、（Ｃ）、（Ｄ）は、それぞれ、図１に示される例における電池の装着動作の説明に供される断面図である。
【図７】本発明に係る電池ホルダの第２実施例の全体構成を示す斜視図である。
【図８】図７に示される例における要部を示す断面図である。
【図９】図８に示される例における右側面図である。
【図１０】図７に示される例における外観を示す正面図である。
【図１１】図７に示される例における平面図である。
【図１２】図７に示される例における負極用端子の一部を部分的に拡大して示す図である。
【図１３】図７に示される例における構成を示す分解斜視図である。
【図１４】図７に示される例における正極用端子を示す斜視図である。
【図１５】（Ａ），（Ｂ）、（Ｃ）、（Ｄ）は、それぞれ、図７に示される例における電池の装着動作の説明に供される断面図である。
【図１６】（Ａ），（Ｂ）、（Ｃ）、（Ｄ）は、それぞれ、図７に示される例における電池の装着動作の説明に供される平面図である。
【図１７】本発明に係る電池ホルダの第３実施例の要部を示す平面図である。
【図１８】従来の電池ホルダの概略構成を、装着される電池とともに示す断面図である。
【図１９】図１８に示される例における平面図である。
【図２０】図１８に示される例における右側面図である。
【図２１】図１８に示される例における正極用端子を示す斜視図である。
【符号の説明】
２０    リチウム電池
２０G    ガスケット
２２、４２    電池収容部
２４ｐ、４４ｐ、４８ｐ    保持部
２６、４６、５０    負極用端子
２６ｃ、２８ｄ、４６ｃ、５０ｃ    接点部
２８、４８    正極用端子
２８ｃ    分岐部
４８ｃ    分岐接点部
５０ｅ    分岐部
【図１】
0003693987.tif 000002
【図２】
0003693987.tif 000003
【図３】
0003693987.tif 000004
【図４】
0003693987.tif 000005
【図５】
0003693987.tif 000006
【図６】
0003693987.tif 000007
【図７】
0003693987.tif 000008
【図８】
0003693987.tif 000009
【図９】
0003693987.tif 000010
【図１０】
0003693987.tif 000011
【図１１】
0003693987.tif 000012
【図１２】
0003693987.tif 000013
【図１３】
0003693987.tif 000014
【図１４】
0003693987.tif 000015
【図１５】
0003693987.tif 000016
【図１６】
0003693987.tif 000017
【図１７】
0003693987.tif 000018
【図１８】
0003693987.tif 000019
【図１９】
0003693987.tif 000020
【図２０】
0003693987.tif 000021
【図２１】
0003693987.tif 000022